(57)【要約】      （修正有）【課題】複数の収載箱を上下方向へ一連に並べた状態と前後方向へ一連に並べた状態とを作ることができる商品展示具を提供する。【解決手段】商品展示具１０Ａは、台紙１１Ａを第１〜第４折曲線３２〜３５において折曲しない非折曲状態において、第２収載箱１３が第１収載箱１２の下方に位置するとともに第３収載箱１４が第２収載箱１３の下方に位置するように、第１〜第３収載箱１２〜１４が上下方向へ一連に並び、台紙１１Ａを第１〜第４折曲線において折曲した折曲状態において、第２収載箱１３が第１収載箱１２の直前に位置するとともに第３収載箱１４が第２収載箱１３の直前に位置するように、第１〜第３収載箱１２〜１４が前後方向へ一連に隣接する。【選択図】図１０
0003192871.tif 000002
【実用新案登録請求の範囲】
【請求項１】
上下方向へ延びる台紙と、商品を出入可能な上部開口および前記上部開口から下方へ延びる商品収載部を有する少なくとの２つの収載箱とから構成され、前記台紙が、その上部に形成されて第１収載箱を固着する第１固着エリアと、前記第１固着エリアから下方へ所定寸法離間した位置に形成されて第２収載箱を固着する第２固着エリアと、前記第１および第２固着エリアの間に形成されて前記第１収載箱の横寸法と略同一の横寸法を有する第１開口部と、前記第１開口部と前記第２固着エリアとの間に位置して該台紙に折曲可能に連接され、前記第１固着エリアに固着された第１収載箱と前記第２固着エリアに固着された第２収載箱とを連結する第１連結フラップと、該台紙に形成されて前記第１開口部の上端縁の両側から横方向へ延びる第１折曲線と、該台紙に形成されて前記第１開口部の下端縁の両側から横方向へ延びる第２折曲線とを有し、
前記台紙を第１および第２折曲線において折曲しない非折曲状態では、前記第２収載箱が前記第１収載箱の下方に位置するように、前記第１および第２収載箱が上下方向へ一連に並び、前記台紙を第１および第２折曲線において折曲した折曲状態では、前記第２収載箱が前記第１収載箱の直前に位置するように、前記第１および第２収載箱が前後方向へ一連に隣接し、前記第１連結フラップを前記第１収載箱の商品収載部に挿入することで前記第１および第２収載箱の前後方向への連結が保持されることを特徴とする商品展示具。
【請求項２】
前記商品展示具では、前記折曲状態において前記第１および第２収載箱が前後方向へ隣接したときに該第１および第２収載箱の底面が前後方向へ面一に並ぶように、前記台紙の第１および第２折曲線の間に延びる第１部位の上下寸法が調節されている請求項１に記載の商品展示具。
【請求項３】
前記商品展示具では、前記折曲状態において前記第１および第２収載箱が前後方向へ隣接したときに、前記台紙の第１および第２折曲線の間に延びる第１部位が前記第１収載箱の側面の外側に当接する請求項１または請求項２に記載の商品展示具。
【請求項４】
前記第１連結フラップが、その上端縁から上方へ凸となる係合部分を有し、前記第１収載箱が、その底面に形成されて前記第１連結フラップの係合部分を係脱可能に係入させる係入部分を有し、前記折曲状態では、前記第１連結フラップの係合部分を前記第１収載箱の係入部分に係入させる請求項１ないし請求項３いずれかに記載の商品展示具。
【請求項５】
前記台紙が、前記第２固着エリアから下方へ所定寸法離間した位置に形成されて第３収載箱を固着する第３固着エリアと、前記第２および第３固着エリアの間に形成されて前記第２収載箱の横寸法と略同一の横寸法を有する第２開口部と、前記第２開口部と前記第３固着エリアとの間に位置して該台紙に折曲可能に連接され、前記第２収載箱と前記第３固着エリアに固着された第３収載箱とを連結する第２連結フラップと、該台紙に形成されて前記第２開口部の上端縁の両側から横方向へ延びる第３折曲線と、該台紙に形成されて前記第２開口部の下端縁の両側から横方向へ延びる第４折曲線とを有し、前記台紙を第３および第４折曲線において折曲しない前記非折曲状態では、前記第３収載箱が前記第２収載箱の下方に位置するように、前記第２および第３収載箱が上下方向へ一連に並び、前記台紙を第３および第４折曲線において折曲した折曲状態では、前記第３収載箱が前記第２収載箱の直前に位置するように、前記第２および第３収載箱が前後方向へ一連に隣接し、前記第２連結フラップを前記第２収載箱の商品収載部に挿入することで第２および第３収載箱の前後方向への連結が保持される請求項１ないし請求項４いずれかに記載の商品展示具。
【請求項６】
前記商品展示具では、前記折曲状態において前記第２および第３収載箱が前後方向へ隣接したときに該第２および第３収載箱の底面が前後方向へ面一に並ぶように、前記台紙の第２および第３折曲線の間に延びる第２部位の上下寸法が調節され、前記台紙の第３および第４折曲線の間に延びる第３部位の上下寸法が調節されている請求項５に記載の商品展示具。
【請求項７】
前記商品展示具では、前記折曲状態において前記第２および第３収載箱が前後方向へ隣接したときに、前記台紙の第３および第４折曲線の間に延びる第３部位が前記第２収載箱の側面の外側に当接する請求項５または請求項６に記載の商品展示具。
【請求項８】
前記第２連結フラップが、その上端縁から上方へ凸となる係合部分を有し、前記第２収載箱が、その底面に形成されて前記第２連結フラップの係合部分を係脱可能に係入させる係入部分を有し、前記折曲状態では、前記第２連結フラップの係合部分を前記第２収載箱の係入部分に係入させる請求項５ないし請求項７いずれかに記載の商品展示具。
【請求項９】
前記台紙の上端近傍には、前記非折曲状態および前記折曲状態において前記台紙をフックに吊り下げる吊り下げ孔が作られている請求項１ないし請求項８いずれかに記載の商品展示具。
【請求項１０】
前記台紙の上部における前記吊り下げる孔と前記第１開口部との間には、前記折曲状態において商品展示具の後方への転倒を防止する一対の支持脚を有する転倒防止台紙が取り付けられている請求項９に記載の商品展示具。
【請求項１１】
前記商品展示具が、前記非折曲状態において前記台紙に着脱可能に取り付けられて該台紙の直状状態を保持する直状保持台紙を含む請求項１ないし請求項１０いずれかに記載の商品展示具。
【考案の詳細な説明】
【技術分野】
【０００１】
本考案は、陳列棚やショーケースに載置して商品を展示し、または、壁や吊り下げラック、吊り下げ棚に吊り下げて商品を展示する商品展示具に関する。
【背景技術】
【０００２】
商品を収容する有底四角筒状の収載箱と、収載箱を外側から覆う有蓋四角筒状の蓋とを備え、収載箱が、正面壁、背面壁、左右一対の側面壁、底面壁から形成され、蓋が、正面壁、背面壁、左右一対の側面壁、頂面壁から形成され、収載箱の正面側の高さが収載箱の背面側の高さよりも小さく、蓋の背面壁の底縁が収載箱の背面壁の底縁よりも高く配置され、蓋の背面壁の底縁を中心にして収載箱の正面壁上および側面壁上を蓋の正面壁が回転することによって蓋が収載箱から取り外される展示用収載箱が開示されている（特許文献１参照）。
【０００３】
この展示用収載箱では、収載箱の正面壁の表面と蓋の正面壁の裏面とが接着され、収載箱の背面壁の表面と蓋の背面壁の裏面とが接着され、収載箱の正面壁および蓋の正面壁が互いに対向する領域にミシン目線で囲まれた正面接着部を有し、収載箱の背面壁および蓋の背面壁の一方が互いに対向する領域にミシン目線で囲まれた背面接着部を有し、頂面壁側において一方の蓋の側面壁が連結され、収載箱の底面壁側においてミシン目線を介し第１連結フラップが連結されており、収載箱の底面壁側において他方の蓋の側面壁が連結され、蓋の頂面壁側においてミシン目線を介し第２連結フラップが連結されている。
【先行技術文献】
【特許文献】
【０００４】
【特許文献１】特開２０１２−６２１２３号公報
【考案の概要】
【考案が解決しようとする課題】
【０００５】
前記特許文献１に開示の展示用収容箱は、収載箱から蓋を取り外した状態で陳列棚やショーケースに収載箱を載置し、収載箱に収載された商品を展示する。この展示用収容箱は、収載箱の１つを陳列棚やショーケースに載置し、収載箱に収載された商品を展示することはできるが、その複数を上下方向へひと繋がりに並べた状態で壁や吊り下げラック、吊り下げ棚に吊り下げて商品を展示することができないとともに、その複数を前後方向へひと繋がりに並べた状態で陳列棚やショーケースに載置して商品を展示することはできない。
【０００６】
本考案の課題は、複数の収載箱を上下方向へ一連に並べた状態と複数の収載箱を前後方向へ一連に並べた状態とを作ることができ、それら収載箱に収載された複数の商品が上下方向に並んだ状態でそれら商品を一度に展示することができるとともに、それら収載箱に収載された複数の商品が前後方向に並んだ状態でそれら商品を一度に展示することができる商品展示具を提供することにある。
【課題を解決するための手段】
【０００７】
前記課題を解決するための本考案にかかる商品展示具は、上下方向へ延びる台紙と、商品を出入可能な上部開口および上部開口から下方へ延びる商品収載部を有する少なくとの２つの収載箱とから構成され、台紙が、その上部に形成されて第１収載箱を固着する第１固着エリアと、第１固着エリアから下方へ所定寸法離間した位置に形成されて第２収載箱を固着する第２固着エリアと、第１および第２固着エリアの間に形成されて第１収載箱の横寸法と略同一の横寸法を有する第１開口部と、第１開口部と第２固着エリアとの間に位置して台紙に折曲可能に連接され、第１固着エリアに固着された第１収載箱と第２固着エリアに固着された第２収載箱とを連結する第１連結フラップと、台紙に形成されて第１開口部の上端縁の両側から横方向へ延びる第１折曲線と、台紙に形成されて第１開口部の下端縁の両側から横方向へ延びる第２折曲線とを有し、台紙を第１および第２折曲線において折曲しない非折曲状態では、第２収載箱が第１収載箱の下方に位置するように、第１および第２収載箱が上下方向へ一連に並び、台紙を第１および第２折曲線において折曲した折曲状態では、第２収載箱が第１収載箱の直前に位置するように、第１および第２収載箱が前後方向へ一連に隣接し、第１連結フラップを第１収載箱の商品収載部に挿入することで第１および第２収載箱の前後方向への連結が保持されることを特徴とする。
【０００８】
本考案の一例として、商品展示具では、折曲状態において第１および第２収載箱が前後方向へ隣接したときに第１および第２収載箱の底面が前後方向へ面一に並ぶように、台紙の第１および第２折曲線の間に延びる第１部位の上下寸法が調節されている。
【０００９】
本考案の他の一例として、商品展示具では、折曲状態において第１および第２収載箱が前後方向へ隣接したときに、台紙の第１および第２折曲線の間に延びる第１部位が第１収載箱の側面の外側に当接する。
【００１０】
本考案の他の一例としては、第１連結フラップがその上端縁から上方へ凸となる係合部分を有し、第１収載箱がその底面に形成されて第１連結フラップの係合部分を係脱可能に係入させる係入部分を有し、折曲状態では、第１連結フラップの係合部分を第１収載箱の係入部分に係入させる。
【００１１】
本考案の他の一例としては、台紙が、第２固着エリアから下方へ所定寸法離間した位置に形成されて第３収載箱を固着する第３固着エリアと、第２および第３固着エリアの間に形成されて第２収載箱の横寸法と略同一の横寸法を有する第２開口部と、第２開口部と第３固着エリアとの間に位置して台紙に折曲可能に連接され、第２収載箱と第３固着エリアに固着された第３収載箱とを連結する第２連結フラップと、台紙に形成されて第２開口部の上端縁の両側から横方向へ延びる第３折曲線と、台紙に形成されて第２開口部の下端縁の両側から横方向へ延びる第４折曲線とを有し、台紙を第３および第４折曲線において折曲しない非折曲状態では、第３収載箱が第２収載箱の下方に位置するように、第２および第３収載箱が上下方向へ一連に並び、台紙を第３および第４折曲線において折曲した折曲状態では、第３収載箱が第２収載箱の直前に位置するように、第２および第３収載箱が前後方向へ一連に隣接し、第２連結フラップを第２収載箱の商品収載部に挿入することで第２および第３収載箱の前後方向への連結が保持される。
【００１２】
本考案の他の一例として、商品展示具では、折曲状態において第２および第３収載箱が前後方向へ隣接したときに第２および第３収載箱の底面が前後方向へ面一に並ぶように、台紙の第２および第３折曲線の間に延びる第２部位の上下寸法が調節され、台紙の第３および第４折曲線の間に延びる第３部位の上下寸法が調節されている。
【００１３】
本考案の他の一例として、商品展示具では、折曲状態において第２および第３収載箱が前後方向へ隣接したときに、台紙の第３および第４折曲線の間に延びる第３部位が第２収載箱の側面の外側に当接する。
【００１４】
本考案の他の一例としては、第２連結フラップがその上端縁から上方へ凸となる係合部分を有し、第２収載箱がその底面に形成されて第２連結フラップの係合部分を係脱可能に係入させる係入部分を有し、折曲状態では、第２連結フラップの係合部分を第２収載箱の係入部分に係入させる。
【００１５】
本考案の他の一例として、台紙の上端近傍には、非折曲状態および折曲状態において台紙をフックに吊り下げる吊り下げ孔が作られている。
【００１６】
本考案の他の一例として、台紙の上部における吊り下げる孔と第１開口部との間には、折曲状態において商品展示具の後方への転倒を防止する一対の支持脚を有する転倒防止台紙が取り付けられている。
【００１７】
本考案の他の一例としては、商品展示具が非折曲状態において台紙に着脱可能に取り付けられて台紙の直状状態を保持する直状保持台紙を含む。
【考案の効果】
【００１８】
本考案にかかる商品展示具によれば、台紙を第１および第２折曲線において折曲しない非折曲状態において、第２収載箱が第１収載箱の下方に位置するように、第１および第２収載箱が上下方向へ一連に並ぶから、第１および第２収載箱を上下方向へひと繋がりに並べた状態を作ることができ、台紙を第１および第２折曲線において折曲した折曲状態において、第２収載箱が第１収載箱の直前に位置するように、第１および第２収載箱が前後方向へ一連に隣接するから、第１および第２収載箱を前後方向へひと繋がりに並べた状態を作ることができる。商品展示具は、非折曲状態においてそれを壁や吊り下げラック、吊り下げ棚に吊り下げ、それら収載箱に収載された複数の商品が上下方向に並んだ状態でそれら商品を一度に展示することができるとともに、折曲状態においてそれを陳列棚やショーケースに載置し、それら収載箱に収載された複数の商品が前後方向に並んだ状態でそれら商品を一度に展示することができる。商品展示具は、第１連結フラップを第１収載箱の商品収載部に挿入することで第１および第２収載箱の前後方向への連結が保持されるから、折曲状態において商品展示具を陳列棚やショーケースに載置したときに第１収載箱と第２収載箱との離間を防ぐことができ、第１および第２収載箱が前後方向へ一連に並んだ状態を保持することができる。
【００１９】
折曲状態において第１および第２収載箱が前後方向へ隣接したときに第１および第２収載箱の底面が前後方向へ面一に並ぶように、台紙の第１および第２折曲線の間に延びる第１部の上下寸法が調節されている商品展示具は、台紙を第１および第２折曲線において折曲した折曲状態において前後方向へ並ぶ第１および第２収載箱の底面が前後方向へ面一になり、第１収載箱の底面と第２収載箱の底面とに段差が生じることはなく、第１および第２収載箱が前後方向へ並んだ状態で商品展示具を陳列棚やショーケースに安定して載置することができ、それら収載箱に収載された複数の商品を安定して展示することができる。
【００２０】
折曲状態において第１および第２収載箱が前後方向へ隣接したときに、台紙の第１および第２折曲線の間に延びる第１部位が第１収載箱の側面の外側に当接する商品展示具は、第１および第２収載箱が前後方向へ並んだ折曲状態において、台紙の第１および第２折曲線の間に延びる第１部位が第１収載箱の側面の外側に当接することで、第１および第２収載箱の捩れや横ずれが第１部位によって阻止されるから、第１および第２収載箱が前後方向へ並んだ状態で商品展示具を陳列棚やショーケースに安定して載置することができ、それら収載箱に収載された複数の商品を安定して展示することができる。
【００２１】
第１連結フラップがその上端縁から上方へ凸となる係合部分を有し、第１収載箱がその底面に形成されて第１連結フラップの係合部分を係脱可能に係入させる係入部分を有し、第１連結フラップの係合部分を第１収載箱の係入部分に係入させる商品展示具は、係合部分が係入部分に係入することで、第１連結フラップが第１収載箱に連結され、それによって第１および第２収載箱の前後方向への連結が確実に保持されるから、折曲状態において商品展示具を陳列棚やショーケースに載置したときに第１収載箱と第２収載箱との離間を防ぐことができ、第１および第２収載箱が前後方向へ一連に並んだ状態を保持することができる。
【００２２】
台紙が第３収載箱を固着する第３固着エリアと前記第２および第３固着エリアの間に形成された第２開口部と前記第２開口部と前記第３固着エリアとの間に位置する第２連結フラップと横方向へ延びる第３および第４折曲線とを有し、台紙を第３および第４折曲線において折曲しない前記非折曲状態において、第３収載箱が第２収載箱の下方に位置するように、第２および第３収載箱が上下方向へ一連に並び、台紙を第３および第４折曲線において折曲した折曲状態において、第３収載箱が第２収載箱の直前に位置するように、第２および第３収載箱が前後方向へ一連に隣接し、第２連結フラップを第２収載箱の商品収載部に挿入することで第２および第３収載箱の前後方向への連結が保持される商品展示具は、台紙を第１〜第４折曲線において折曲しない非折曲状態において、第２収載箱が第１収載箱の下方に位置するとともに第３収載箱が第２収載箱の下方に位置するように、第１〜第３収載箱が上下方向へ一連に並ぶから、第１〜第３収載箱を上下方向へひと繋がりに並べた状態を作ることができ、台紙を第１〜第４折曲線において折曲した折曲状態において、第２収載箱が第１収載箱の直前に位置するとともに第３収載箱が第２収載箱の直前に位置するように、第１〜第３収載箱が前後方向へ一連に隣接するから、第１〜第３収載箱を前後方向へひと繋がりに並べた状態を作ることができる。商品展示具は、非折曲状態においてそれを壁や吊り下げラック、吊り下げ棚に吊り下げ、それら収載箱に収載された複数の商品が上下方向に並んだ状態でそれら商品を一度に展示することができるとともに、折曲状態においてそれを陳列棚やショーケースに載置し、それら収載箱に収載された複数の商品が前後方向に並んだ状態でそれら商品を一度に展示することができる。商品展示具は、第１連結フラップを第１収載箱の商品収載部に挿入することで第１および第２収載箱の前後方向への連結が保持され、第２連結フラップを第２収載箱の商品収載部に挿入することで第２および第３収載箱の前後方向への連結が保持されるから、折曲状態において商品展示具を陳列棚やショーケースに載置したときに第１〜第３収載箱の離間を防ぐことができ、第１〜第３収載箱が前後方向へ一連に並んだ状態を保持することができる。
【００２３】
折曲状態において第２および第３収載箱が前後方向へ隣接したときに第２および第３収載箱の底面が前後方向へ面一に並ぶように、台紙の第２および第３折曲線の間に延びる第２部位の上下寸法が調節され、台紙の第３および第４折曲線の間に延びる第３部位の上下寸法が調節されている商品展示具は、台紙を第１〜第４折曲線において折曲した折曲状態において前後方向へ並ぶ第１〜第３収載箱の底面が前後方向へ面一になり、第１収載箱の底面と第２収載箱の底面と第３収載箱の底面とに段差が生じることはなく、第１〜第３収載箱が前後方向へ並んだ状態で商品展示具を陳列棚やショーケースに安定して載置することができ、それら収載箱に収載された複数の商品を安定して展示することができる。
【００２４】
折曲状態において第２および第３収載箱が前後方向へ隣接したときに、台紙の第３および第４折曲線の間に延びる第３部位が第２収載箱の側面の外側に当接する商品展示具は、第１〜第３収載箱が前後方向へ並んだ折曲状態において、台紙の第１および第２折曲線の間に延びる第１部位が第１収載箱の側面の外側に当接するとともに、台紙の第３および第４折曲線の間に延びる第３部位が第２収載箱の側面の外側に当接することで、第１〜第３収載箱の捩れや横ずれが第１および第３部位によって阻止されるから、第１〜第３収載箱が前後方向へ並んだ状態で商品展示具を陳列棚やショーケースに安定して載置することができ、それら収載箱に収載された複数の商品を安定して展示することができる。
【００２５】
第２連結フラップがその上端縁から上方へ凸となる係合部分を有し、第２収載箱がその底面に形成されて第２連結フラップの係合部分を係脱可能に係入させる係入部分を有し、第２連結フラップの係合部分を第２収載箱の係入部分に係入させる商品展示具は、第１連結フラップの係合部分が第１収載箱の係入部分に係入することで、第１連結フラップが第１収載箱に連結されるとともに、第２連結フラップの係合部分が第２収載箱の係入部分に係入することで、第２連結フラップが第２収載箱に連結され、それによって第１〜第２収載箱の前後方向への連結が確実に保持されるから、折曲状態において商品展示具を陳列棚やショーケースに載置したときに第１〜第３収載箱の離間を防ぐことができ、第１〜第３収載箱が前後方向へ一連に並んだ状態を保持することができる。
【００２６】
非折曲状態および折曲状態において台紙をフックに吊り下げる吊り下げ孔が台紙の上部に作られている商品展示具は、それら収載箱が上下方向へ並んだ非折曲状態とそれら収載箱が前後方向へ並んだ折曲状態とにおいて吊り下げ孔にフックを挿通することで、商品展示具を壁や吊り下げラック、吊り下げ棚に吊り下げて展示することができるから、それら収載箱に収載された複数の商品が上下方向に並んだ状態でそれら商品を一度に展示することができるとともに、それら収載箱に収載された複数の商品が前後方向に並んだ状態でそれら商品を一度に展示することができる。
【００２７】
折曲状態において商品展示具の後方への転倒を防止する一対の支持脚を有する転倒防止台紙が台紙の上部における吊り下げる孔と第１開口部との間に取り付けられている商品展示具は、それら収載箱が前後方向へ一連に並んだ折曲状態において商品展示具を陳列棚やショーケースに載置したときに、商品展示具の後方への転倒が転倒防止台紙によって阻止されるから、それら収載箱に商品を収載した展示中における商品展示具の不用意な転倒を防ぐことができ、商品を前後方向に並べた状態でそれら商品を安定して展示することができる。
【００２８】
非折曲状態において台紙に着脱可能に取り付けられて台紙の直状状態を保持する直状保持台紙を含む商品展示具は、それら収載箱が上下方向へ一連に並んだ非折曲状態において、台紙の真っ直ぐに延びた状態が直状保持台紙によって保持されるから、それら収載箱が上下方向へ略一直線に並び、それら収載箱が上下方向へ波打って並ぶ場合と比較し、商品展示具の見端を向上させることができる。商品展示具は、それら収載箱が上下方向へ略一直線に並び、それら収載箱の商品収載部が上下方向へ直立するから、それら収載箱に商品を収載して商品展示具を壁や吊り下げラック、吊り下げ棚に吊り下げたときに、それら収載箱の商品収載部からの商品の落下を防ぐことができ、商品を前後方向に並べた状態でそれら商品を安定して展示することができる。
【図面の簡単な説明】
【００２９】
【図１】一例として示す商品展示具の斜視図。
【図２】一例として示す台紙の正面図。
【図３】一例として示す組み立てる前の収載箱の展開平面図。
【図４】組み立てた後の収載箱の斜視図。
【図５】一例として示す転倒防止台紙の正面図。
【図６】一例として示す直状保持台紙の展開平面図。
【図７】商品展示具に直状保持台紙の取り付けを説明する斜視図。
【図８】直状保持台紙を取り付けた後の商品展示具の斜視図。
【図９】折曲状態にある商品展示具の斜視図。
【図１０】商品展示具を折曲状態にするための手順を説明する図。
【図１１】切り込みに係合部分を挿入した状態で示す商品展示具の部分破断斜視図。
【図１２】折曲状態にある商品展示具の側面図。
【図１３】他の一例として示す商品展示具の斜視図。
【図１４】他の一例として示す台紙の正面図。
【図１５】折曲状態にある図１３の商品展示具の斜視図。
【図１６】折曲状態にある図１３の商品展示具の側面図。
【考案を実施するための形態】
【００３０】
一例として示す商品展示具１０Ａの斜視図である図１等の添付の図面を参照し、本考案にかかる商品展示具の詳細を説明すると、以下のとおりである。なお、図２は、一例として示す台紙１１Ａの正面図であり、図３は、一例として示す組み立てる前の収載箱１２〜１４の展開平面図である。図４は、組み立てた後の収載箱１２〜１４の斜視図であり、図５は、一例として示す転倒防止台紙１５の正面図である。図６は、一例として示す直状保持台紙１６の展開平面図である。
【００３１】
図１〜６では、上下方向を矢印Ａ、前後方向を矢印Ｂ（図１，４のみ）で示し、横方向を矢印Ｃで示す。図２では、第１〜第４折曲線３２〜３５と第１〜第６糊代３６，３７，３９，４０，４２，４３とを点線で示す。図５では、第１および第２糊代８８，８９と折曲線８７とを点線で示す。図１では、第１〜第３収載箱１２〜１４に収載される商品の図示を省略している。
【００３２】
商品展示具１０Ａは、上下方向へ延びる矩形の台紙１１Ａと、第１〜第３収載箱１２〜１４と、転倒防止台紙１５（図５参照）と、直状保持台紙１６とから構成されている。台紙１１Ａは、上下方向へ長い板状の厚紙から作られている。台紙１１Ａは、上部１７および下部１９と、上下部１７，１９の間に位置する中央部１８と、上下方向へ延びる両側部２０とを有するとともに、表面２１および裏面２２を有する。
【００３３】
台紙１１Ａの上端２３近傍には、台紙１１Ａを壁や吊り下げラック、吊り下げ棚のフック（図示せず）に吊り下げる２つの吊り下げ孔２４が穿孔されている。吊り下げ孔２４は、台紙１１Ａの横寸法を二分する縦中心線Ｌ１に対して左右対称の位置に作られている。なお、１つの吊り下げ孔が台紙１１Ａの上端２３近傍であって縦中心線Ｌ１上に作られていてもよい。
【００３４】
台紙１１Ａは、第１固着エリア２５と、第１固着エリア２５から下方へ所定寸法離間した位置に形成された第２固着エリア２６と、第２固着エリア２６から下方へ所定寸法離間した位置に形成された第３固着エリア２７と、第１および第２固着エリア２５，２６の間に形成された第１開口部２８と、第２および第３固着エリア２６，２７の間に形成された第２開口部２９と、第１開口部２８と第２固着エリア２６との間に位置する第１連結フラップ３０と、第２開口部２９と第３固着エリア２７との間に位置する第２連結フラップ３１と、それぞれ一対の第１〜第４折曲線３２〜３５とを有する。
【００３５】
第１固着エリア２５は、台紙１１Ａの上部１７であって台紙１１Ａの表面２１に形成されている。第１固着エリア２５には、横方向へ離間して上下方向に延びる帯状の第１糊代３６と、上下方向へ離間して横方向に延びる帯状の第２糊代３７とが作られている。第１および第２糊代３６，３７に塗布された糊（接着剤）によって第１収載箱１２が台紙１１Ａの表面２１の第１固着エリア２５に固着される。第１固着エリア２５には、第１開口部２８に向かって下方へ凸となる第１凸部３８が作られている。第１凸部３８には、第２糊代３７を介して第１収載箱１２の下部が固着される。
【００３６】
第２固着エリア２６は、台紙１１Ａの中央部１８であって台紙１１Ａの表面２１に形成されている。第２固着エリア２６には、横方向へ離間して上下方向に延びる帯状の第３糊代３９と、上下方向へ離間して横方向に延びる帯状の第４糊代４０とが作られている。第３および第４糊代３９，４０に塗布された糊（接着剤）によって第２収載箱１３が台紙１１Ａの表面２１の第２固着エリア２６に固着される。第２固着エリア２６には、第２開口部２９に向かって下方へ凸となる第２凸部４１が作られている。第２凸部４１には、第４糊代４０を介して第２収載箱１３の下部が固着される。
【００３７】
第３固着エリア２７は、台紙１１Ａの下部１９であって台紙１１Ａの表面２１に形成されている。第３固着エリア２７には、横方向へ離間して上下方向に延びる帯状の第５糊代４２と、上下方向へ離間して横方向に延びる帯状の第６糊代４３とが作られている。第５および第６糊代４２，４３に塗布された糊（接着剤）によって第３収載箱１４が台紙１１Ａの表面２１の第３固着エリア２７に固着される。第６糊代４３のうちの上方に位置する糊代４３の横方向中央には、非糊代部分４４が作られている。
【００３８】
第１開口部２８は、台紙１１Ａの中央部１８であって両側部２０の間に形成され、縦中心線Ｌ１に対して左右対称形に作られている。第１開口部２８は、横方向に延びる上端縁４５と、上端縁４５から下方へ離間しつつ第１連結フラップ３０の両側に位置して横方向に延びる下端縁４６と、上下端縁４５，４６の間に位置して上下方向へ延びる両側縁４７とを有する。第１開口部２８は、その横寸法（両側縁４７間の横寸法）が第１収載箱１２の横寸法と略同一である。
【００３９】
第１開口部２８では、第１固着エリア２５の側であって台紙１１Ａの両側縁部２０の側（第１凸部３８の両側）に位置する上端縁４５が台紙１１Ａの上方へ向かって凸となり、その位置の上端縁４５が第１両側開口部分４８を作っている。第１両側開口部分４８は、第１収載箱１２の下部の横方向両側に位置し、その上下寸法が第１収載箱１２の下部の上下寸法と略同一である。
【００４０】
第２開口部２９は、台紙１１Ａの下部１９であって両側部２０の間に形成され、縦中心線Ｌ１に対して左右対称形に作られている。第２開口部２９は、横方向に延びる上端縁４９と、上端縁４９から下方へ離間しつつ第２連結フラップ３１の両側に位置して横方向に延びる下端縁５０と、上下端縁４９，５０の間に位置して上下方向へ延びる両側縁５１とを有する。第２開口部２９は、その横寸法（両側縁５１間の横寸法）が第２収載箱１３の横寸法と略同一である。
【００４１】
第２開口部２９では、第２固着エリア２６の側であって台紙１１Ａの両側縁部２０の側（第２凸部４１の両側）に位置する上端縁４９が台紙１１Ａの上方へ向かって凸となり、その位置の上端縁４９が第２両側開口部分５２を作っている。第２両側開口部分５２は、第２収載箱１３の下部の横方向両側に位置し、その上下寸法が第２収載箱１３の下部の上下寸法と略同一である。
【００４２】
第１連結フラップ３０は、台紙１１Ａの中央部１８であって両側部２０の間に位置し、台紙１１Ａに折曲可能に連接されている。第１連結フラップ３０は、台紙１１Ａの一部から作られている。第１連結フラップ３０は、縦中心線Ｌ１に対して左右対称形に作られている。第１連結フラップ３０は、後記する折曲状態において前後方向へ並ぶ第１収載箱１２と第２収載箱１３とを連結する。
【００４３】
第１連結フラップ３０は、第１開口部２８に対向して横方向へ延びる上端縁５３と、第２固着エリア２６の直上に位置して横方向へ延びる下端縁５４と、上下端縁５３，５４の間に位置して上下方向へ延びる両側縁５５とを有する。第１連結フラップ３０では、両側縁５５が台紙１１Ａから切り離され、上端縁５３が第１開口部２８に位置し、下端縁５４が台紙１１Ａにつながっている。第１連結フラップ３９は、下端縁５４を中心に上下方向へ旋回可能である。第１連結フラップ３０の上端縁５３には、第１開口部２８に向かって凸となる２つの係合部分５６が作られている。
【００４４】
第２連結フラップ３１は、台紙１１Ａの下部１９であって両側部２０の間に位置し、台紙１１Ａに折曲可能に連接されている。第２連結フラップ３１は、台紙１１Ａの一部から作られている。第２連結フラップ３１は、縦中心線Ｌ１に対して左右対称形に作られている。第２連結フラップ３１は、折曲状態において前後方向へ並ぶ第２収載箱１３と第３収載箱１４とを連結する。
【００４５】
第２連結フラップ３１は、第２開口部２９に対向して横方向へ延びる上端縁５７と、第３固着エリア２７の直上に位置して横方向へ延びる下端縁５８と、上下端縁５７，５８の間に位置して上下方向へ延びる両側縁５９とを有する。第２連結フラップ３１では、両側縁５９が台紙１１Ａから切り離され、上端縁５７が第２開口部２９に位置し、下端縁５８が台紙１１Ａにつながっている。第２連結フラップ３１は、下端縁５８を中心に上下方向へ旋回可能である。第２連結フラップ３１の上端縁５７には、第２開口部２９に向かって凸となる２つの係合部分６０が作られている。第２連結フラップ３１の下端縁５８の横方向中央には、フラップ３１が切り取られてフラップ３１が存在しない開口６１が作られている。
【００４６】
それら第１折曲線３２は、台紙１１Ａの上部１７と中央部１８との境界において横方向へ離間し、台紙１１Ａの両側部２０に形成されている。第１折曲線３２は、第１開口部２８の上端縁４５（第１両側開口部分４８）の両側から横方向へ直状に延びている。それら第２折曲線３３は、台紙１１Ａの中央部１８において横方向へ離間し、台紙１１Ａの両側部２０に形成されている。第２折曲線３３は、第１開口部２８の下端縁４６の両側から横方向へ直状に延びている。
【００４７】
それら第３折曲線３４は、台紙１１Ａの中央部１８と下部１９との境界において横方向へ離間し、台紙１１Ａの両側部２０に形成されている。第３折曲線３４は、第２開口部２９の上端縁４９（第２両側開口部分５２）の両側から横方向へ直状に延びている。それら第４折曲線３５は、台紙１１Ａの下部において横方向へ離間し、台紙１１Ａの両側部２０に形成されている。第４折曲線３５は、第２開口部２９の下端縁５０の両側から横方向へ直状に延びている。
【００４８】
第１〜第３収載箱１２〜１４は、図４に示すように、商品を出入可能な横方向へ長い矩形の上部開口６２と、上部開口６２から下方へ延びる所定容積の商品収載部６３とを有する。第１〜第３収載箱１２〜１４は、板状の厚紙から作られ、同形同大である。収載箱１２〜１４は、上部開口６２から所定の商品を商品収載部６３に入れると、商品の下部が商品収載部６３に収載され、商品の中央部や上部が商品収載部６３から上方へ露出する。
【００４９】
第１〜第３収載箱１２〜１４は、横方向へ延びる矩形の前板６４と、横方向へ延びる略矩形の後板６５と、横方向へ延びる略矩形の第１底板６６と、横方向へ延びる略矩形の第２底板６７と、上下方向へ延びる略矩形の第１側板６８と、上下方向へ延びる略矩形の第２側板６９とから形成されている。図３の展開平面図では、図３の右方から左方へ向かって、第１側板６８→前板６４および第１底板６６→第２側板６９→後板６５および第２底板６７の順で並んでいる。
【００５０】
後板６５は、その中央の上下寸法が前板６４の上下寸法よりも大きい。後板６５の横方向両側には、第１および第２側板６８，６９の上下寸法と同一の上下寸法を有する延長部分７０が作られている。それら延長部分７０には、横方向へ延びる位置決め線７１が引かれている。第１および第２側板６８，６９は、略同形同大に作られている。
【００５１】
第１側板６８と前板６４とは、上下方向へ延びる第１側縁７２を介して連接されている。第１側板６８の下方には、横方向へ延びる第１端縁７３を介して第１固着フラップ７４が連接されている。前板６４と第１底板６６とは、横方向へ延びる第２端縁７５を介して連接されている。前板６４と第２側板６９とは、上下方向へ延びる第２側縁７６を介して連接されている。第１底板６６には、第２端縁７５に沿って横方向へ延びる２つの切り込み１０１が形成されている。切り込み１０１の位置は、第１および第２連結フラップ３０，３１の上端縁５３，５７に作られた係合部分５６，６０の位置に一致している。
【００５２】
第２側板６９の下方には、横方向へ延びる第３端縁７７を介して第２固着フラップ７７が連接されている。第２側板６９と後板６５とは、上下方向へ延びる第３側縁７９を介して連接されている。後板６５と第２底板６７とは、横方向へ延びる第３端縁８０を介して連接されている。後板６５には、上下方向へ延びる第４側縁８１を介して第３固着フラップ８２が連接されている。
【００５３】
図３の展開平面図から収載箱１２〜１４を組み立てるには、第１側板６８と前板６４とが互いに直交するように、第１側板６８と前板６４とを第１側縁７２において折曲する。第１側板６８と前板６４とは、それら板６４，６８の裏面が対向する方向へ折り曲げる。第１側板６８と第１固着フラップ７４とが互いに直交するように、第１側板６８と第１固着フラップ７４とを第１端縁７３において折曲する。第１側板６８と第１固着フラップ７４とは、それらの裏面が対向する方向へ折り曲げる。
【００５４】
前板６４と第１底板６６とが互いに直交するように、前板６４と第１底板６６とを第２端縁７５において折曲する。前板６４と第１底板６６とは、それら板６４，６６の内面が対向する方向へ折り曲げる。前板６４と第２側板６９とが互いに直交するように、前板６４と第２側板６９とを第２側縁７６において折曲する。前板６４と第２側板６９とは、それら板６４，６９の内面が対向する方向へ折り曲げる。第２側板６９と第２固着フラップ７８とが互いに直交するように、第２側板６９と第２固着フラップ７８とを第３端縁７７において折曲する。第２側板６９と第２固着フラップ７８とは、それらの内面が対向する方向へ折り曲げる。
【００５５】
第２側板６９と後板６５とが互いに直交するように、第２側板６９と後板６５とを第３側縁７９において折曲する。第２側板６９と後板６５とは、それら板６５，６９の内面が対向する方向へ折り曲げる。後板６５と第２底板６７とが互いに直交するように、後板６５と第２底板６７とを第４端縁８０において折曲する。後板６５と第２底板６７とは、それら板６５，６７の内面が対向する方向へ折り曲げる。後板６５と第３固着フラップ８２とが互いに直交するように、後板６５と第３固着フラップ８２とを第４側縁８１において折曲する。後板６５と第３固着フラップ８２とは、それらの内面が対向する方向へ折り曲げる。
【００５６】
それら板６４〜６９や各フラップ７４，７８，８２を折曲すると、第１側板６８の内面と第３固着フラップ８２の外面とが重なり、第１底板６６の内面と第２底板６６の外面とが重なるとともに、第１底板６６の内面と第１および第２固着フラップ７４，７８の外面とが重なる。第１側板６８の内面と第３固着フラップ８２の外面とを糊（接着剤）によって固着し、第１底板６６の内面と第２底板６７の外面とを糊（接着剤）によって固着するとともに、第１底板６６の内面と第１および第２固着フラップ７４，７８の外面とを糊（接着剤）によって固着する。各板６４〜６９や各フラップ７４，７８，８２を固着することで、図４の収載箱１２〜１４が組み立てられる。
【００５７】
第１収載箱１２は、その後板６５の外面が第１固着エリア２５の第１および第２糊代３６，３７に塗布された糊（接着剤）を介してエリア２５に固着されている。第２収載箱１３は、その後板６５の外面が第２固着エリア２６の第３および第４糊代３９，４０に塗布された糊（接着剤）を介してエリア２６に固着されている。第２固着エリア２６に対する第２収載箱１３の固着時には、第１開口部２８の下端縁４６と延長部分７０の位置決め線７１とを一致させる。
【００５８】
第３収載箱１４は、その後板６５の外面が第３固着エリア２７の第５および第６糊代４２，４３に塗布された糊（接着剤）を介してエリア２７に固着されている。第３固着エリア２７に対する第３収載箱１４の固着時には、第２開口部２９の下端縁５０と延長部分７０の位置決め線７１とを一致させる。第３収載箱１４を第３固着エリア２７に固着すると、エリア２７の非糊代部分４４と第３収載箱１３の後板６５との間に直状保持台紙１６の後記する第２挿入部９９を挿脱可能に挿入する第２挿入孔８３が形成される。
【００５９】
転倒防止台紙１５は、板状の厚紙から作られている。転倒防止台紙１５は、その横寸法を二分する縦中心線Ｌ２に対して左右対称形に作られている。転倒防止台紙１５は、図５に示すように、略矩形の固着板８４と、固着板８４の横方向両側に位置して上下方向へ延びる一対の支持脚８５と、固着板８４と支持脚８５との直交状態を保持する保持板８６とから形成されている。固着板８４と支持脚８５とは、上下方向へ延びる折曲線８７を介して連接されている。
【００６０】
固着板８４は、その上部において横方向へ延びる第１糊代８８と、その下部において横方向と上下方向とへ延びる第２糊代８９とを有する。固着板８４の下端縁近傍には、第２糊代８９が存在しない非固着部分９０が作られている。それら支持脚８５は、その上下寸法が固着板８４の上下寸法よりもわずかに大きく、その下端部９１が固着板８４の下端縁から下方に延出している。支持脚８５は、折曲状態において商品展示具１０Ａの後方への転倒を防止する。
【００６１】
保持板８６は、固着板８４の一部と支持脚８５の一部とから作られている。保持板８６は、固着板８４および支持脚８５の中央部に位置して横方向へ延びる下端縁９２と、下端縁９２の両側から上方へ凸となる周縁９３とを有する。保持板８６の下端縁９２は、固着板８４および支持脚８５につながっている。保持板８６の周縁９３は、固着板８４および支持脚８５から切り離されている。保持板８６は、下端縁９２を中心に上下方向へ旋回可能である。保持板８６の周縁９３には、下方へ凹む係入凹部９４が作られている。
【００６２】
転倒防止台紙１５の固着板８４は、第１および第２糊代８８，８９に塗布された糊（接着剤）を介して台紙１１Ａの上部１７における吊り下げる孔２４と第１開口部２８との間（第１固着エリア２５の位置）における台紙１１Ａの裏面２２に固着されている。台紙１１Ａに対する固着板８４の固着時には、第１開口部２８の上端縁４５と支持脚８５の下端縁とを一致させる。台紙１１Ａに固着板８４を固着すると、第１固着エリア２５の第１凸部３８と固着板８４の非固着部分９０との間に直状保持台紙１６の後記する第１挿入部９８を挿脱可能に挿入する第１挿入孔９５が形成される。
【００６３】
直状保持台紙１６は、板状の厚紙から作られている。直状保持台紙１６は、その横寸法を二分する縦中心線Ｌ３に対して左右対称形に作られている。直状保持台紙１６は、図６に示すように、上下方向へ長い矩形の背板９６と、背板９６の両側に連接されて上下方向へ長い矩形の補強板９７と、背板９６の上端縁から上方に延びる第１挿入部９８と、背板９６の下端縁から上方に延びる第２挿入部９９とから形成されている。
【００６４】
直状保持台紙１６では、補強板９７が上下方向へ延びる折曲線１００によって背板９６の裏面に向かって折曲され、背板９６の裏面と補強板９７の裏面とが糊（接着剤）を介して固着されている。背板９６に補強板９７を固着することで、直状保持台紙１６が二枚重ねになり、直状保持台紙１６が一枚の場合と比較し、その曲げ強度が増加している。
【００６５】
図７は、非折曲状態にある商品展示具１０Ａに直状保持台紙１６の取り付けを説明する斜視図であり、図８は、直状保持台紙１６を取り付けた後の非折曲状態にある商品展示具１０Ａの斜視図である。図７，８では、第１〜第３収載箱１２〜１４に収載される商品の図示を省略している。
【００６６】
商品展示具１０Ａにおいて台紙１１Ａを第１〜第４折曲線３２〜３５において折曲しない非折曲状態では、第２収載箱１３が第１収載箱１２の下方に位置するとともに、第３収載箱１４が第２収載箱１３の下方に位置するように、第１収載箱１２と第２収載箱１３とが上下方向へ一連に並ぶとともに、第２収載箱１３と第３収載箱１４とが上下方向へ一連に並ぶ。第１収載箱１２と第２収載箱１３との間には、第１開口部２８が位置し、第２収載箱１３と第３収載箱１４との間には、第２開口部２９が位置する。
【００６７】
非折曲状態において、図７に示すように、第１固着エリア２５の第１凸部３８と固着板８４の非固着部分９０との間に形成された第１挿入孔９５に直状保持台紙１６の第１挿入部９８を挿入し、エリア２７の非糊代部分４４と第３収載箱１３の後板６５との間に形成された第２挿入孔８３に直状保持台紙１６の第２挿入部９９を挿入し、台紙１１Ａに直状保持台紙１６を取り付ける。台紙１１Ａに直状保持台紙１６を取り付けることで、台紙１１Ａの上下方向へ真っ直ぐに延びた状態が保持される。
【００６８】
台紙１１Ａに直状保持台紙１６を取り付けた後、第１〜第３収載箱１２〜１４の上部開口６２から所定の商品を商品収載部６３に入れ、商品を商品収載部６３に収載する。商品収載部６３に商品を収載した後、台紙１１Ａの吊り下げ孔２４にフックを引っ掛け、非折曲状態にある商品展示具１０Ａを壁や吊り下げラック、吊り下げ棚に吊り下げることで商品を展示する。
【００６９】
商品展示具１０Ａは、台紙１１Ａを第１〜第４折曲線３２〜３５において折曲しない非折曲状態において、第２収載箱１３が第１収載箱１２の下方に位置するとともに第３収載箱１４が第２収載箱１３の下方に位置するように、第１〜第３収載箱１２〜１４が上下方向へ一連に並ぶから、第１〜第３収載箱１２〜１４を上下方向へひと繋がりに並べた状態を作ることができ、それら収載箱１２〜１４に収載された複数の商品が上下方向に並んだ状態でそれら商品を一度に展示することができる。
【００７０】
図９は、折曲状態にある商品展示具１０Ａの斜視図であり、図１０は、商品展示具１０Ａを折曲状態にするための手順を説明する図である。図１１は、切り込み１０１（係入部分）に係合部分６０を挿入した状態で示す商品展示具１０Ａの部分破断斜視図であり、図１２は、折曲状態にある商品展示具１０Ａの側面図である。図９では、上下方向を矢印Ａ、前後方向を矢印Ｂで示し、横方向を矢印Ｃで示す。図１１では、商品展示具１０Ａの一部を省略して示す。図９〜１２では、第１〜第３収載箱１２〜１４に収載される商品の図示を省略している。
【００７１】
図１，８の非折曲状態にある商品展示具１０Ａを折曲状態にするには、第１固着エリア２５の第１凸部３８と固着板８４の非固着部分９０との間に形成された第１挿入孔９５から直状保持台紙１６の第１挿入部９８を引き抜くとともに、エリア２７の非糊代部分４４と第３収載箱１３の後板６５との間に形成された第２挿入孔８３から直状保持台紙１６の第２挿入部９９を引き抜き、台紙１１Ａから直状保持台紙１６を取り外す。
【００７２】
台紙１１Ａから直状保持台紙１６を取り外した後、図１０に示すように、第４折曲線３５において台紙１１Ａの両側部２０を山折りに折曲し、第３折曲線３４において台紙１１Ａの両側部２０を谷折りに折曲する。第３および第４折曲線３４，３５を折り曲げると、第３収載箱１４が第２収載箱１３の直前に位置するように、第２および第３収載箱１３，１４が前後方向へ一連に隣接し、第３収載箱１４の後板６５が第２収載箱１３の前板６４に当接する。
【００７３】
次に、第２折曲線３３において台紙１１Ａの両側部２０を山折りに折曲し、第１折曲線３２において台紙１１Ａの両側部２０を谷折りに折曲する。第１および第２折曲線３２，３３を折り曲げると、第２収載箱１３が第１収載箱１２の直前に位置するように、第１および第２収載箱１２，１３が前後方向へ一連に隣接し、第２収載箱１３の後板６５が第１収載箱１２の前板６４に当接する。
【００７４】
第１〜第４折曲線３２〜３５において台紙１１Ａの両側部２０を折曲した後、第２連結フラップ３１を下端縁５８において折曲し、フラップ３１を第２収載箱１３の商品収載部６３に挿入するとともに、フラップ３１の上端縁５７に作られた係合部分６０を第２収載箱１３の第１底板６６の切り込み１０１（係入部分）に挿入し、係合部分６０を切り込み１０１に係入させる。第２連結フラップ３１を第２収載箱１３に連結させることで、第２および第３収載箱１３，１４の前後方向への連結が保持される。
【００７５】
第１連結フラップ３０を下端縁５４において折曲し、フラップ３０を第１収載箱１２の商品収載部６３に挿入するとともに、フラップ３０の上端縁５３に作られた係合部分５６を第１収載箱１２の第１底板６６の切り込み１０１（係入部分）に挿入し、係合部分６０を切り込み１０１に係入させる。第１連結フラップ３０を第１収載箱１２に連結させることで、第１および第２収載箱１２，１３の前後方向への連結が保持される。折曲状態において商品展示具１０Ａを陳列棚やショーケースに載置する。
【００７６】
第１〜第４折曲線３２〜３５において台紙１１Ａの両側部２０を折曲した折曲状態において、第１および第２収載箱１２，１３が前後方向へ隣接したときに、図１２に示すように、台紙１１Ａの第１および第２折曲線３２，３３の間に延びる両側部２０の第１部位１０２が第１収載箱１２の側面（側板６８，６９）の外側に当接するとともに、折曲状態において第２および第３収載箱１３，１４が前後方向へ隣接したときに、台紙１１Ａの第３および第４折曲線３４，３５の間に延びる両側部２０の第３部位１０３が第２収載箱１３の側面（側板６８，６９）の外側に当接する。
【００７７】
商品展示具１０Ａでは、折曲状態において第１〜第３収載箱１２〜１４が前後方向へ隣接したときに第１〜第３収載箱１２〜１４の底面（底板６６）が前後方向へ面一に並ぶように、台紙１１Ａの第１および第２折曲線３２，３３の間に延びる両側部２０の第１部位１０２の上下寸法が調節され、第２および第３折曲線３３，３４の間に延びる両側部２０の第２部位１０３の上下寸法が調節されているとともに、第３および第４折曲線３４，３５の間に延びる両側部２０の第３部位１０４の上下寸法が調節されている。
【００７８】
次に、転倒防止台紙１５の固着板８４とそれら支持脚８５とが互いに直交するように、支持脚８５を折曲線８７において折曲する。支持脚８５を折曲すると、支持脚８５の略中央に保持板８６の両側形状と同形の開口が形成される。支持脚８５を折曲した後、固着板８４と保持板８６とが互いに直交するように、保持板８６をその下端縁９２において折曲する。保持板８６を折曲すると、保持板８６の周縁９３に形成された係入凹部９４が支持脚８５の略中央に形成された開口を囲繞する縁に係入し、それら支持脚８５と保持板８６とが係合する。支持脚８５と保持板８６とが係合すると、保持板８６が支持脚８５と直交して保持板８６が水平になり、支持脚８５が台紙１１Ａと直交して支持脚８５が前後方向へ向かう。それら支持脚８５は、折曲状態における商品展示具１０Ａの後方への転倒を防止する。
【００７９】
折曲状態にある商品展示具１０Ａは、転倒防止台紙１５を組み立てた後、商品収載部６３に商品を収載し、陳列棚やショーケースに載置することで商品を展示する。また、転倒防止台紙１５を組み立てることなく、商品収載部６３に商品を収載し、台紙１１Ａの吊り下げ孔２４にフックを引っ掛け、折曲状態にある商品展示具１０Ａを壁や吊り下げラック、吊り下げ棚に吊り下げることで商品を展示する。
【００８０】
商品展示具１０Ａは、台紙１１Ａの両側部２０を第１〜第４折曲線３２〜３５において折曲した折曲状態において、第２収載箱１３が第１収載箱１２の直前に位置するとともに第３収載箱１４が第２収載箱１３の直前に位置するように、第１〜第３収載箱１２〜１４が前後方向へ一連に隣接するから、第１〜第３収載箱１２〜１４を前後方向へひと繋がりに並べた状態を作ることができ、それら収載箱１２〜１４に収載された複数の商品が前後方向に並んだ状態でそれら商品を一度に展示することができる。
【００８１】
商品展示具１０Ａは、第１連結フラップ３０を第１収載箱１２の商品収載部６３に挿入し、係合部分６０を切り込み１０１（係入部分）に係入することで、第１および第２収載箱１２，１３の前後方向への連結が保持され、第２連結フラップ３１を第２収載箱１３の商品収載部６３に挿入し、係合部分６０を切り込み１０１（係入部分）に係入することで、第２および第３収載箱１３，１４の前後方向への連結が保持されるから、折曲状態において商品展示具１０Ａを陳列棚やショーケースに載置したときに第１〜第３収載箱１２〜１４の離間を防ぐことができ、第１〜第３収載箱１２〜１４が前後方向へ一連に並んだ状態を保持することができる。
【００８２】
商品展示具１０Ａは、台紙１１Ａの両側部２０を第１〜第４折曲線３２〜３５において折曲した折曲状態において前後方向へ並ぶ第１〜第３収載箱１２〜１４の底面（底板６６）が前後方向へ面一になり、第１収載箱１２の底面（底板６６）と第２収載箱１３の底面（底板６６）と第３収載箱１４の底面（底板６６）とに段差が生じることはなく、第１〜第３収載箱１２〜１４が前後方向へ並んだ状態で商品展示具１０Ａを陳列棚やショーケースに安定して載置することができ、それら収載箱１２〜１４に収載された複数の商品を安定して展示することができる。
【００８３】
商品展示具１０Ａは、第１〜第３収載箱１２〜１４が前後方向へ一連に並んだ折曲状態において商品展示具１０Ａを陳列棚やショーケースに載置したときに、商品展示具１０Ａの後方への転倒が転倒防止台紙１５の支持脚８５によって阻止されるから、それら収載箱１２〜１４に商品を収載した展示中における商品展示具１０Ａの不用意な転倒を防ぐことができ、商品を前後方向に並べた状態でそれら商品を安定して展示することができる。
【００８４】
商品展示具１０Ａは、第１〜第３収載箱１２〜１４が前後方向へ並んだ折曲状態において、台紙１１Ａの第１および第２折曲線３２，３３の間に延びる両側部２０の第１部位１０２が第１収載箱１２の側面（側板６８，６９）の外側に当接するとともに、台紙１１Ａの第３および第４折曲線３４，３５の間に延びる両側部２０の第３部位１０４が第２収載箱１３の側面（側板６８，６９）の外側に当接することで、第１〜第３収載箱１２〜１４の捩れや横ずれが第１および第３部位１０２，１０４によって阻止されるから、第１〜第３収載箱１２〜１４が前後方向へ並んだ状態で商品展示具１０Ａを陳列棚やショーケースに安定して載置することができ、それら収載箱１２〜１４に収載された複数の商品を安定して展示することができる。
【００８５】
図１３は、他の一例として示す商品展示具１０Ｂの斜視図であり、図１４は、他の一例として示す台紙１１Ｂの正面図である。図１５は、折曲状態にある図１３の商品展示具１０Ｂの斜視図であり、図１６は、折曲状態にある図１３の商品展示具１０Ｂの側面図である。図１３，１５，１６では、第１および第２収載箱１２，１３に収載される商品の図示を省略している。商品展示具１０Ｂは、上下方向へ延びる矩形の台紙１１Ｂと、第１および第２収載箱１２，１３と、転倒防止台紙１５と、直状保持台紙１６とから構成されている。
【００８６】
台紙１１Ｂは、上下方向へ長い板状の厚紙から作られている。台紙１１Ｂは、上部１７および下部１９と、上下部１７，１９の間に位置する中央部１８と、上下方向へ延びる両側部２０とを有するとともに、表面２１および裏面２２を有する。台紙１１Ｂの上端２３近傍には、台紙１１Ｂをフックに吊り下げる２つの吊り下げ孔２４が穿孔されている。
【００８７】
台紙１１Ｂは、第１固着エリア２５と、第１固着エリア２５から下方へ所定寸法離間した位置に形成された第２固着エリア２６と、第１および第２固着エリア２５，２６の間に形成された第１開口部２８と、第１開口部２８と第２固着エリア２６との間に位置する第１連結フラップ３０と、それぞれ一対の第１および第２折曲線３２，３３とを有する。
【００８８】
第１固着エリア２５は、商品展示具１０Ａの台紙１１Ａのそれと同一であり、台紙１１Ｂの上部１７であって台紙１１Ｂの表面２１に形成され、第１および第２糊代３６，３７と第１凸部３８とが作られている。第１および第２糊代３６，３７に塗布された糊（接着剤）によって第１収載箱１２が第１固着エリア２５に固着される。第１凸部３８には、第２糊代３６を介して第１収載箱１２の下部が固着される。
【００８９】
第２固着エリア２６は、台紙１１Ｂの下部１８であって台紙１１Ｂの表面２１に形成され、第３および第４糊代３９，４０が作られている。第２固着エリア２６には、台紙１１Ａのそれと異なり、第２凸部４１は作られていない。また、第４糊代４０のうちの上方に位置する糊代４０の横方向中央には、非糊代部分４４が作られている。第３および第４糊代３９，４０に塗布された糊（接着剤）によって第２収載箱１３が第２固着エリア２６に固着される。
【００９０】
第１開口部２８は、台紙１１Ｂの中央部１８であって両側部２０の間に形成され、上下端縁４５，４６と両側縁４７とを有する。第１開口部２８は、その横寸法（両側縁４７間の横寸法）が第１収載箱１２の横寸法と略同一である。第１開口部２８では、第１固着エリア２５の側であって台紙１１Ｂの両側縁部２０の側（第１凸部３８の両側）に位置する上端縁４５が第１両側開口部分４８を作っている。
【００９１】
第１連結フラップ３０は、台紙１１Ｂの中央部１８であって両側部２０の間に位置し、台紙１１Ｂに折曲可能に連接されている。第１連結フラップ３０は、折曲状態において前後方向へ並ぶ第１収載箱１２と第２収載箱１３とを連結する。第１連結フラップ３０は、上下端縁５３，５４と両側縁５５とを有し、両側縁５５が台紙１１Ｂから切り離され、上端縁５３が第１開口部２８に位置し、下端縁５４が台紙１１Ｂにつながっている。第１連結フラップ３９は、下端縁５４を中心に上下方向へ旋回可能である。第１連結フラップ３０の上端縁５３には、第１開口部２８に向かって凸となる２つの係合部分５６が作られている。第１連結フラップ３０の下端縁５４の横方向中央には、フラップ３０が切り取られてフラップ３０が存在しない開口６１が作られている。
【００９２】
それら第１折曲線３２は、台紙１１Ｂの上部１７と中央部１８との境界において横方向へ離間し、台紙１１Ｂの両側部２０に形成されている。第１折曲線３２は、第１開口部２８の上端縁４５（第１両側開口部分４８）の両側から横方向へ直状に延びている。それら第２折曲線３３は、台紙１１Ｂの中央部１８において横方向へ離間し、台紙１１Ｂの両側部２０に形成されている。第２折曲線３３は、第１開口部２８の下端縁４６の両側から横方向へ直状に延びている。
【００９３】
第１および第２収載箱１２，１３は、図１の商品展示具１０Ａのそれらと同一である。第１収載箱１２は、その後板６５の外面が第１固着エリア２５の第１および第２糊代３６，３７に塗布された糊（接着剤）を介してエリア２５に固着されている。第２収載箱１３は、その後板６５の外面が第２固着エリア２６の第３および第４糊代３９，４０に塗布された糊（接着剤）を介してエリア２６に固着されている。転倒防止台紙１５と直状保持台紙１６とは、図１の商品展示具１０Ａのそれらと同一であるが、直状保持台紙１６の上下寸法が図１の商品展示具１０Ａのそれよりも短い。
【００９４】
商品展示具１０Ｂにおいて台紙１１Ｂを第１および第２折曲線３２，３３において折曲しない非折曲状態では、第２収載箱１３が第１収載箱１２の下方に位置するように、第１収載箱１２と第２収載箱１３とが上下方向へ一連に並ぶ。第１収載箱１２と第２収載箱１３との間には、第１開口部２８が位置する。非折曲状態において、第１固着エリア２５の第１凸部３８と固着板８４の非固着部分９０との間に形成された第１挿入孔９５に直状保持台紙１６の第１挿入部９８を挿入し、エリア２７の非糊代部分４４と第３収載箱１３の後板６５との間に形成された第２挿入孔８３に直状保持台紙１６の第２挿入部９９を挿入し、台紙１１Ｂに直状保持台紙１６を取り付ける。台紙１１Ｂに直状保持台紙１６を取り付けることで、図１３に示すように、台紙１１Ｂの上下方向へ真っ直ぐに延びた状態が保持される。
【００９５】
台紙１１Ｂに直状保持台紙１６を取り付けた後、第１および第２収載箱１２，１３の上部開口６２から所定の商品を商品収載部６３に入れ、商品を商品収載部６３に収載する。商品収載部６３に商品を収載した後、台紙１１Ｂの吊り下げ孔２４にフックを引っ掛け、非折曲状態にある商品展示具１０Ｂを壁や吊り下げラック、吊り下げ棚に吊り下げることで商品を展示する。
【００９６】
商品展示具１０Ｂは、台紙１１Ｂを第１および第２折曲線３２，３３において折曲しない非折曲状態において、第２収載箱１３が第１収載箱１２の下方に位置するように、第１および第２収載箱１２，１３が上下方向へ一連に並ぶから、第１および第２収載箱１２，１３を上下方向へひと繋がりに並べた状態を作ることができ、それら収載箱１２，１３に収載された複数の商品が上下方向に並んだ状態でそれら商品を一度に展示することができる。
【００９７】
図１３の非折曲状態にある商品展示具１０Ａを折曲状態にするには、第１固着エリア２５の第１凸部３８と固着板８４の非固着部分９０との間に形成された第１挿入孔９５から直状保持台紙１６の第１挿入部９８を引き抜くとともに、エリア２７の非糊代部分４４と第３収載箱１３の後板６５との間に形成された第２挿入孔８３から直状保持台紙１６の第２挿入部９９を引き抜き、台紙１１Ｂから直状保持台紙１６を取り外す。
【００９８】
台紙１１Ｂから直状保持台紙１６を取り外した後、第２折曲線３３において台紙１１Ｂの両側部２０を山折りに折曲し、第１折曲線３２において台紙１１Ｂの両側部２０を谷折りに折曲する。第１および第２折曲線３２，３３を折り曲げると、第２収載箱１３が第１収載箱１２の直前に位置するように、第１および第２収載箱１２，１３が前後方向へ一連に隣接し、第２収載箱１３の後板６５が第１収載箱１２の前板６４に当接する。
【００９９】
第１および第２折曲線３２，３３において台紙１１Ｂの両側部２０を折曲した後、第１連結フラップ３０を下端縁５４において折曲し、フラップ３０を第１収載箱１２の商品収載部６３に挿入するとともに、フラップ３０の上端縁５３に作られた係合部分５６を第１収載箱１２の第１底板６６の切り込み１０１（係入部分）に挿入し、係合部分６０を切り込み１０１に係入させる。第１連結フラップ３０を第１収載箱１２に連結させることで、第１および第２収載箱１２，１３の前後方向への連結が保持される。
【０１００】
折曲状態において商品展示具１０Ｂを陳列棚やショーケースに載置する。第１および第２折曲線３２，３３において台紙１１Ｂの両側部２０を折曲した折曲状態において、第１および第２収載箱１２，１３が前後方向へ隣接したときに、図１６に示すように、台紙１１Ｂの第１および第２折曲線３２，３３の間に延びる両側部２０の第１部位１０２が第１収載箱１２の側面（側板６８，６９）の外側に当接する。
【０１０１】
商品展示具１０Ｂでは、折曲状態において第１および第２収載箱１２，１３が前後方向へ隣接したときに第１および第２収載箱１２，１３の底面（底板６６）が前後方向へ面一に並ぶように、台紙１１Ｂの第１および第２折曲線３２，３３の間に延びる両側部２０の第１部位１０２の上下寸法が調節されている。なお、転倒防止台紙１５を図１の商品展示具１０Ａと同一の手順で組み立てる。転倒防止台紙１５を組み立てると、支持脚８５と保持板８６とが係合し、保持板８６が支持脚８５と直交して保持板８６が水平になり、支持脚８５が台紙１１Ｂと直交して支持脚８５が前後方向へ向かう。それら支持脚８５は、折曲状態における商品展示具１０Ｂの後方への転倒を防止する。
【０１０２】
折曲状態にある商品展示具１０Ｂは、転倒防止台紙１５を組み立てた後、商品収載部６３に商品を収載し、陳列棚やショーケースに載置することで商品を展示する。また、転倒防止台紙１５を組み立てることなく、商品収載部６３に商品を収載し、台紙１１Ｂの吊り下げ孔２４にフックを引っ掛け、折曲状態にある商品展示具１０Ｂを壁や吊り下げラック、吊り下げ棚に吊り下げることで商品を展示する。
【０１０３】
商品展示具１０Ｂは、台紙１１Ｂの両側部２０を第１および第２折曲線３２，３３において折曲した折曲状態において、第２収載箱１３が第１収載箱１２の直前に位置するように、第１および第２収載箱１２，１３が前後方向へ一連に隣接するから、第１および第２収載箱１２，１３を前後方向へひと繋がりに並べた状態を作ることができ、それら収載箱１２，１３に収載された複数の商品が前後方向に並んだ状態でそれら商品を一度に展示することができる。
【０１０４】
商品展示具１０Ｂは、第１連結フラップ３０を第１収載箱１２の商品収載部６３に挿入し、係合部分６０を切り込み１０１（係入部分）に係入することで、第１および第２収載箱１２，１３の前後方向への連結が保持されるから、折曲状態において商品展示具１０Ｂを陳列棚やショーケースに載置したときに第１および第２収載箱１２，１３の離間を防ぐことができ、第１および第２収載箱１２，１３が前後方向へ一連に並んだ状態を保持することができる。
【０１０５】
商品展示具１０Ｂは、台紙１１Ｂの両側部２０を第１および第２折曲線３２，３３において折曲した折曲状態において前後方向へ並ぶ第１および第２収載箱１２，１３の底面（底板６６）が前後方向へ面一になり、第１収載箱１２の底面（底板６６）と第２収載箱１３の底面（底板６６）とに段差が生じることはなく、第１および第２収載箱１２，１３が前後方向へ並んだ状態で商品展示具１０Ｂを陳列棚やショーケースに安定して載置することができ、それら収載箱１２，１３に収載された複数の商品を安定して展示することができる。
【０１０６】
商品展示具１０Ｂは、第１および第２収載箱１２，１３が前後方向へ一連に並んだ折曲状態において商品展示具１０Ｂを陳列棚やショーケースに載置したときに、商品展示具１０Ｂの後方への転倒が転倒防止台紙１５の支持脚８５によって阻止されるから、それら収載箱１２，１３に商品を収載した展示中における商品展示具１０Ｂの不用意な転倒を防ぐことができ、商品を前後方向に並べた状態でそれら商品を安定して展示することができる。
【０１０７】
商品展示具１０Ｂは、第１および第２収載箱１２，１３が前後方向へ並んだ折曲状態において、台紙１１Ｂの第１および第２折曲線３２，３３の間に延びる両側部２０の第１部位１０２が第１収載箱１２の側面（側板６８，６９）の外側に当接することで、第１および第２収載箱１２，１３の捩れや横ずれが第１部位１０２によって阻止されるから、第１および第２収載箱１２，１３が前後方向へ並んだ状態で商品展示具１０Ｂを陳列棚やショーケースに安定して載置することができ、それら収載箱１２，１３に収載された複数の商品を安定して展示することができる。
【符号の説明】
【０１０８】
１０Ａ    商品展示具
１０Ｂ    商品展示具
１１Ａ    台紙
１１Ｂ    台紙
１２    第１収載箱
１３    第２収載箱
１４    第３収載箱
１５    転倒防止台紙
１６    直状保持台紙
１７    上部
１８    中央部
１９    下部
２０    両側部
２１    表面
２２    裏面
２３    上端
２４    吊り下げ孔
２５    第１固着エリア
２６    第２固着エリア
２７    第３固着エリア
２８    第１開口部
２９    第２開口部
３０    第１連結フラップ
３１    第２連結フラップ
３２    第１折曲線
３３    第２折曲線
３４    第３折曲線
３５    第４折曲線
３６    第１糊代
３７    第２糊代
５６    係合部分
６０    係合部分
６２    上部開口
６３    収載部
６４    前板
６５    後板
６６    第１底板（底面）
６７    第２底板
６８    第１側板（側面）
６９    第２側板（側面）
８４    固着板
８５    支持脚
８６    保持板
９６    背板
９７    補強板
９８    第１挿入部
９９    第２挿入部
１０１    切り込み（係入部分）
１０２    第１部位
１０３    第２部位
１０４    第３部位
【図１】
0003192871.tif 000003
【図２】
0003192871.tif 000004
【図３】
0003192871.tif 000005
【図４】
0003192871.tif 000006
【図５】
0003192871.tif 000007
【図６】
0003192871.tif 000008
【図７】
0003192871.tif 000009
【図８】
0003192871.tif 000010
【図９】
0003192871.tif 000011
【図１０】
0003192871.tif 000012
【図１１】
0003192871.tif 000013
【図１２】
0003192871.tif 000014
【図１３】
0003192871.tif 000015
【図１４】
0003192871.tif 000016
【図１５】
0003192871.tif 000017
【図１６】
0003192871.tif 000018